(57)【要約】【課題】  所定の照度が得られ、かつ近隣を不必要に明るくしてしまう問題を解決することが可能な照明器具及び防犯灯を提供する。【解決手段】  略Ｕ字状の発光管１１ａ１、１１ａ２を有する光源１１と、光源を支持する器具本体１２と、光源からの光を反射させる反射体１３と、光源を覆うように器具本体に設けられた透光性のカバー部材１４とを具備する照明器具１０を構成する。  光源１１の発光管１１ａ１、１１ａ２を上下方向に配置すると共に、発光管の一部分が器具本体とカバー部材とで形成される光放出部の境界Ｘより上方に入るように構成する。【選択図】        図２
2007087798.tif 000002
【特許請求の範囲】
【請求項１】
略Ｕ字状の発光管を有する光源と；
光源を支持する器具本体と；
光源からの光を反射させる反射体と；
光源を覆うように器具本体に設けられた透光性のカバー部材とを具備し；
光源の発光管を上下方向に配置すると共に、発光管の一部分が器具本体とカバー部材とで形成される光放出部の境界より上方に入るようにしたことを特徴とする照明器具。
【請求項２】
略Ｕ字状の発光管を有する光源と；
光源を支持する器具本体と；
光源からの光を反射させる反射体と；
光源を覆うように器具本体に設けられた透光性のカバー部材とを具備し；
光源の発光管を上下方向に配置すると共に、発光管が器具本体とカバー部材とで形成される光放出部の境界より上方に入るようにして、発光管の幅寸法をｈ１、境界より上方に入る発光管の寸法をｈ２としたときに、ｈ２／ｈ１×１００が約１９〜８０％の値になっていることを特徴とする照明器具。
【請求項３】
前記発光管の下方に補助反射体を設けたことを特徴とする請求項１または２に記載の照明器具。
【請求項４】
請求項１ないし３いずれか一に記載の照明器具からなることを特徴とする防犯灯。
【発明の詳細な説明】
【技術分野】
【０００１】
本発明は、道路、公園等の照明に使用される照明器具及び防犯灯に関する。
【背景技術】
【０００２】
この種の照明器具、例えば、防犯灯においては防犯照明の推奨照度が求められている。
【０００３】
すなわち、照明の効果として、４ｍ先の歩行者の挙動・姿勢などがわかるように、水平面照度（平均値）が３ルックス、鉛直面照度（最小値）が０．５ルックスになるように推奨照度が求められている。
【０００４】
これらの推奨照度を達成するため、例えば、特許文献１及び特許文献２に示される照明器具が知られている。
【０００５】
特許文献１に示されるものは、屋外に設置した場合に、遠方の地点における照度を高めるために、器具本体の開口の外側に位置するように蛍光ランプを設けて構成している。
【０００６】
また、特許文献２には、略Ｕ状の放電路を有するランプを上下方向に配置して構成している。
【０００７】
一方、この種の防犯灯は、道路の歩道側に設置された電柱等、高い位置に取付けられて使用されることが一般的で、設置された器具の上方からも光の一部が放射され、近隣民家等に光が届き、部屋が明るくなりすぎて就寝を妨げる等、近隣を不必要に明るくしてしまう問題がある。
【特許文献１】特開２００３−２０３５０６号公報
【特許文献２】特公平７−３６２８４号公報
【発明の開示】
【発明が解決しようとする課題】
【０００８】
しかしながら、特許文献１及び２に示される照明器具では、いずれも、器具本体の開口の外側に位置するように蛍光ランプを設けて構成しているため、遠方の地点における照度を高めることは可能となるが、逆に上方に向かう光も多くなり、近隣を不必要に明るくしてしまう問題は解決されていない。
【０００９】
また、この種、照明器具においては所定の照度を得るために、配置間隔を短くすることも行われるが、設置台数が多くなり工事費や消費電力を含めた設備費用が高騰する問題が発生し、例えば、各自治体等によっては、最低配置間隔を２５ｍに確保するよう義務付けられている。
【００１０】
このため、この種、防犯灯などの照明器具においては、最低配置間隔を２５ｍに確保して費用の高騰化を抑制すると共に、所定の推奨照度が得られ、かつ近隣を不必要に明るくしてしまう問題を解決することが可能な照明器具を、如何にして実現するかが重要な課題となっている。
【００１１】
本発明は、上述した問題、課題を解決することを目的とし、所定の照度が得られ、かつ近隣を不必要に明るくしてしまう問題を解決することが可能な照明器具及び防犯灯を提供しようとするものである。
【課題を解決するための手段】
【００１２】
請求項１に記載の照明器具の発明は、略Ｕ字状の発光管を有する光源と；光源を支持する器具本体と；光源からの光を反射させる反射体と；光源を覆うように器具本体に設けられた透光性のカバー部材とを具備し；光源の発光管を上下方向に配置すると共に、発光管の一部分が器具本体とカバー部材とで形成される光放出部の境界より上方に入るようにしたことを特徴とする照明器具。
【００１３】
本発明によれば、光源の発光管を上下方向に配置すると共に、発光管の一部分が器具本体とカバー部材とで形成される光放出部の境界より上方に入るようにして、上方光束比及び照度を適正値に調整することにより、所定の照度が得られ、かつ近隣を不必要に明るくしてしまう問題を解決することが可能な照明器具が構成される。
【００１４】
本発明において、光源は、コンパクト形蛍光ランプ等、略直線状をなす光源が好ましいが、グローブを有する電球形蛍光ランプ、グローブを有さない電球形蛍光ランプ、さらにはＨＩＤランプ、白熱電球等であってもよく、個数は１個でも複数個使用するようにしてもよい。
【００１５】
略Ｕ字状の発光管は、１本の発光管を略Ｕ字状に屈曲したもの、２本の直管形のガラス管端部を加熱・溶融し、吹き破り等の手段で相互に接合して先端がＨ字状となるような略Ｕ字状になるように連結したものなどを許容する。
【００１６】
光源の発光管は、上下方向に配置するが、正確に垂直に上下方向になっている必要はなく、多少左右に傾斜していてもよく、目的とする配光特性に支障をきたさない程度の範囲内で、多少傾斜しているものも許容する。
【００１７】
器具本体は、アルミニウムのダイキャスト等からなる金属や、光を透過させない合成樹脂等で構成して光を遮断することが好ましいが、光障害とならない範囲で、多少光が漏れるものも許容される。
【００１８】
カバー部材は、透明なガラスでもアクリル等透明な合成樹脂、さらには、多数の透孔を形成したパンチングメタル等、他の透光性を有する部材で構成してもよい。また、透明でなく乳白色等の半透明に構成することも許容する。
【００１９】
器具本体とカバー部材とで形成される光放出部の境界は、通常は遮光する器具本体と透光性のカバー部材の接触部が境となるが、器具本体とカバー部材の接触部にパッキングなど、他の遮光する部材が存在する場合は、そのパッキングなどの下端部が光放出部の境界となってもよく、要は光源の光が放出される部分と、遮光される部分の境であればよい。
【００２０】
上方光束比は、例えば、防犯灯を道路に設置した際に、ランプ光束に対する照明器具の水平方向より上方へ向かう光束の比率で、その適正値は、例えば、光害対策ガイドラインには１５％以下を一つの適正値として照明環境３に類型されて推奨されている。
【００２１】
照度の適正値は、上述の背景技術で説明した推奨照度を、一つの適正値として調整することも許容する。
【００２２】
適正値の調整は、発光管が光放出部の境界より上方に入るようにして行われるが、例えば、発光管の幅寸法をｈ１、境界より上方に入る発光管の寸法をｈ２としたときに、ｈ２／ｈ１×１００が約１９〜８０％、好ましくは２０〜４５．３％の値にして、発光管が光放出部の境界より上方に入るように調整し設定することを許容する。
【００２３】
本発明は、防犯灯、街路灯、道路灯などの屋外用の照明器具に適用することが好適であるが、スポットライト、ダウンライト等の屋内用の照明器具に適用してもよい。
【００２４】
請求項２に記載の照明器具の発明は、略Ｕ字状の発光管を有する光源と；光源を支持する器具本体と；光源からの光を反射させる反射体と；光源を覆うように器具本体に設けられた透光性のカバー部材とを具備し；光源の発光管を上下方向に配置すると共に、発光管が器具本体とカバー部材とで形成される光放出部の境界より上方に入るようにして、発光管の幅寸法をｈ１、境界より上方に入る発光管の寸法をｈ２としたときに、ｈ２／ｈ１×１００が約１９〜８０％の値になっていることを特徴とする。
【００２５】
請求項３に記載の発明は、請求項１または２に記載の照明器具において、前記発光管の下方に補助反射体を設けたことを特徴とする。
【００２６】
請求項４に記載の防犯灯の発明は、請求項１ないし３いずれか一に記載の照明器具からなることを特徴とする。
【発明の効果】
【００２７】
請求項１の発明によれば、光源の発光管を上下方向に配置すると共に、発光管の一部分が器具本体とカバー部材とで形成される光放出部の境界より上方に入るようにして、上方光束比及び照度を適正値に調整することにより、所定の照度が得られ、かつ近隣を不必要に明るくしてしまう問題を解決することが可能な照明器具を提供することができる。
【００２８】
請求項２の発明によれば、光源の発光管を上下方向に配置すると共に、発光管が器具本体とカバー部材とで形成される光放出部の境界より上方に入るようにして、発光管の幅寸法をｈ１、境界より上方に入る発光管の寸法をｈ２としたときに、ｈ２／ｈ１×１００が約１９〜８０％の値にしたので、所定の照度が得られ、かつ近隣を不必要に明るくしてしまう問題を解決することが可能な照明器具を提供することができる。
【００２９】
請求項３の発明によれば、発光管下方に補助反射体を設けたことにより、所定の照度が得られ、かつ近隣を不必要に明るくしてしまう問題を解決することが可能な照明器具を提供することができる。
【００３０】
請求項４の発明によれば、所定の照度が得られ、かつ近隣を不必要に明るくしてしまう問題を解決することが可能な防犯灯を提供することができる。
【発明を実施するための最良の形態】
【００３１】
以下、本発明の実施形態につき、防犯灯を例に図１〜図８に従い説明する。
【実施例１】
【００３２】
１０は本発明の照明器具で、光源１１と、光源を支持する器具本体１２と、光源からの光を反射させる反射体１３と、器具本体１２に設けられたカバー部材１４で構成する。
【００３３】
光源１１は、コンパクト形蛍光ランプ（以下単に「蛍光ランプ」と称す）で、長尺な直線状をなす発光部分を備えた２本の発光管１１ａ１、１１ａ２を略Ｕ字状に形成し、一端に口金１１ｂを設けて構成する。
【００３４】
蛍光ランプ１１は、２本のガラス管よりなる発光管１１ａ１、１１ａ２を平行に配置し、互いに隣接する直管部分の一端部を加熱・溶融し吹き破って突起穴を形成し、この突起穴の開口同士をつなぎ合わせて連結部１１ｃを形成して、先端がＨ字状となるような略Ｕ字状をなす連続した放電路をなすように構成する。連結部１１ｃは口金１１ｂと逆側の端部に形成される。
【００３５】
器具本体１２は、アルミダイカスト製で、下面に開口部１２ａを形成した舟形状をなす箱体で構成し、開口部に反射体１３を取付ける。
【００３６】
反射体１３は、アルミニウムやステンレス等の板材で構成し、器具本体の開口部１２ａを略覆うように、長尺な平板状なす形状に形成し、一端部にソケット１５を、他端部に蛍光ランプ１１の連結部１１ｃ側を支持する支持バネ１６を取付ける。
【００３７】
長尺な直線状をなす蛍光ランプ１１は、器具本体１２の長手方向に平行に配置し、かつ２本の発光管１１ａ１、１１ａ２が上下方向に位置するように縦に配置する。
【００３８】
すなわち、ソケット１５は縦方向に反射体１３に取付け、蛍光ランプの口金１１ｂを上下縦方向にして差し込み、２本の発光管１１ａ１、１１ａ２が略垂直に上下方向に位置して配置されるように構成する。支持バネ１６も、２本の発光管１１ａ１、１１ａ２を上下に支持するように縦方向に配置する。
【００３９】
なお、上下方向に配置された２本の発光管１１ａ１、１１ａ２は、正確に垂直に上下方向になっている必要はなく、目的とする配光特性に支障をきたさない程度の範囲内で、多少左右に傾斜していてもよい。
【００４０】
また、長尺な直線状をなす蛍光ランプ１１は、器具本体１２の長手方向に略平行に配置され、照明器具１０を電柱等に、例えば、水平姿勢に設置した場合、上下に配置された２本の発光管１１ａ１、１１ａ２も略水平の状態で点灯される。
【００４１】
カバー部材１４は、透光性を有するように透明なアクリル等の合成樹脂で構成し、蛍光ランプ１１を覆い、器具本体１２の開口部１２ａを塞ぐように、器具本体と同様に舟形状に構成し、その上面に開口部１４ａを形成する。
【００４２】
この開口部１４ａは、器具本体の開口部１２ａと対応する同一の開口形状に形成し、器具本体１２にカバー部材１４を被せた場合、両者の開口部１２ａ、１４ａが完全に合致するように構成する。
【００４３】
なお、図示しないが、カバー部材１４の内面には、長手方向に沿って筋状に多数のプリズムを一体に形成する。
【００４４】
１７は、シリコーンゴム等の弾性体で構成した環状のパッキングで、断面が逆Ｌ字形をなし、Ｌ字の垂直部分を下方に垂下させ、水平部分を器具本体１２とカバー部材１４の開口端部の間に介在させ、器具本体１２にカバー部材１４を被せた場合に、両者の開口部１２ａ及び１４ａが隙間なく合致させるようにして、水密かつ気密にして防水性能を有するように構成する。
【００４５】
１８は補助反射体で、アルミニウムやステンレス等の板材で構成し、長尺の平板を、断面が山形になるように折り曲げて形成する。
【００４６】
補助反射体１８は、カバー部材１４の長手方向に沿って配置し、上下方向に配置された蛍光ランプ１１における、下方に位置する発光管１１ａ２の下面に、山形の頂部が対向するように、カバー部材１４の内面に支持する。
【００４７】
カバー部材１４には、先端部側にヒンジ部を形成し、器具本体１２のヒンジ部と共にヒンジ１９を構成し、カバー部材１４が先端部側を支点として器具本体１２に対して開閉ができるように構成する。
【００４８】
カバー部材１４は、器具本体１２の後端部側に設けられたバネ部材２０の係止作用により閉止状態に保持され、またバネ部材２０の係止作用を手で解除することにより開放できるように構成し、蛍光ランプ等の交換、点検、修理等ができるように構成する。
【００４９】
器具本体１２の後端部側の側面に、器具本体を電柱等に支持するためのコ字状をなす支持具２１を一体に形成する。
【００５０】
図中２２は、器具本体１２内に収納設置される安定器、２３は器具本体の上面にパッキング等により防水構成にして取付けられた自動点滅器である。
【００５１】
次に、上記に構成した照明器具における、上方光束比及び照度を適正値に調整するための構成につき説明する。
【００５２】
まず、上方光束比は、防犯灯を道路に設置した際に、ランプ光束に対する照明器具の水平方向より上方へ向かう光束の比率で、その適正値は、路面を適正に照明すると共に、近隣を不必要に明るくしないようにするため、１５％以下に調整することが好ましい。
【００５３】
この１５％以下の上方光束比を得るために、本実施例では次のように調整し構成した。
【００５４】
まず、照明器具１０として、長さ寸法Ｌを７８８ｍｍ、高さ寸法Ｈを１３３ｍｍ、最下幅寸法Ｗを１３０ｍｍに設定して構成した。
【００５５】
また、蛍光ランプ１１として、型名ＦＨＰ３２ＥＮのコンパクト形蛍光ランプを用いた。
【００５６】
このコンパクト形蛍光ランプは、定格ランプ電力３２Ｗ、管長が４１２ｍｍ、管外径ｄ１が１７．５ｍｍ、発光管の幅（ガラス管部の幅）ｈ１が３７．５ｍｍで、全光束が２９００ｌｍに構成されている。
【００５７】
この型名ＦＨＰ３２ＥＮのコンパクト形蛍光ランプを上記構成の照明器具に、図２に示すように２本の発光管が、それぞれ略上下方向に位置するように配置する。
【００５８】
この際、蛍光ランプ１１の上方に位置する発光管１１ａ１が、器具における光放出部の境界より上方に位置するようにする。
【００５９】
すなわち、上記に構成した照明器具１０は、器具本体１２とカバー部材１４の間に不透明のパッキング１７を介在させたもので、器具本体１２とカバー部材１４の合せ目から光を通過させないパッキング１７のＬ字垂直部分が垂下しており、この部分で上方発光管１１ａ１からの光の一部が遮光されている（図２破線）。
【００６０】
このため、上記構成の照明器具においては、パッキング１７の垂直部分の先端が光放出部の境界Ｘとなる。
【００６１】
この境界Ｘを基準として、蛍光ランプ１１の発光部である発光管が、光放出部の境界Ｘより上方に入る発光管の寸法ｈ２を変化させ、器具の上方光束比が１５％以下になるように調整する。
【００６２】
すなわち、ｈ２の寸法を約７．５ｍｍとなし、上方に位置する発光管１１ａ１が光放出部の境界Ｘより上方に位置する比、すなわち、ｈ２／ｄ１×１００が約４２．８％になるように構成した（補助反射体１８は取付けた状態）。
【００６３】
この照明器具１０を、図７に示すように道路Ｒの歩道側に設置された電柱Ｐに水平姿勢で、かつ器具の長手方向が道路Ｒの延伸方向に直交するようにして、高さ約４．５ｍの位置に設置し、歩道側及び車道側の路面を道路Ｒの延伸方向に沿って照明するようにした。
【００６４】
その結果、下記の表１に示すように、上方光束比Ｆ１が１４．８％になり、目的とする１５％以下の上方光束比を有する防犯灯としての照明器具を実現することができた。
【００６５】
【表１】
2007087798.tif 000003
Ｆ１：上方光束比
Ｆ２：下方光束比
Ｆ３：器具効率
次に、光放出部の境界Ｘより上方に入る発光管の寸法ｈ２を順次大となし、換言すれば、発光管をさらに上方に奥に入れるようにして、上記上方光束比１５％以下をさらに確実に保持しながら、所定の推奨照度を得るための寸法ｈ２を求めた。
【００６６】
蛍光ランプとしては、上記型名ＦＨＰ３２ＥＮのコンパクト形蛍光ランプに加え、型名ＦＨＰ４５ＥＮのコンパクト形蛍光ランプも用いた。
【００６７】
型名ＦＨＰ４５ＥＮのコンパクト形蛍光ランプは、定格ランプ電力４５Ｗ、管長が５６０ｍｍ、管外径ｄ１が１７．５ｍｍ、発光管の幅（ガラス管部の幅）ｈ１が３７．５ｍｍで、全光束が４３５０ｌｍに構成されている。
【００６８】
その結果を図８に示す。すなわち、（ａ）は定格電力４５Ｗの蛍光ランプを用い、ｈ２を７．５ｍｍにした場合で、上方光束比Ｆ１が１３．８％で、配置間隔３５ｍで鉛直面照度が０．５３ｌｘに確保できている。
【００６９】
（ｂ）は定格電力３２Ｗの蛍光ランプを用い、ｈ２を１７ｍｍにした場合で、上方光束比Ｆ１は１５％以下で、配置間隔２５ｍで鉛直面照度が０．５２ｌｘに確保できている。
【００７０】
（ｃ）は定格電力４５Ｗの蛍光ランプを用い、ｈ２を２９ｍｍにした場合で、上方光束比Ｆ１が１５％以下で、配置間隔２５ｍで鉛直面照度が０．５２ｌｘに確保できている。
【００７１】
なお、上記（ｂ）（ｃ）の場合において、上方光束比Ｆ１の具体的な数値は表示していないが、発光管は（ａ）の状態から、より上方に奥に入り込んでおり、上方光束比Ｆ１は（ａ）における数値１３．８％より低く、十分に１５％以下に改善されている。
【００７２】
また、鉛直面照度は、道路中心線上で路面からの高さが１．５ｍのところの最小照度である。
なお、図８に示す結果は、補助反射体１８は無しでの測定結果で、上方光束比はランプ電力４５Ｗで１３．８％をなしており、前述「表１」におけるランプ電力３２Ｗ、補助反射体１８有りでの上方光束比１４．８％の数値より、一層改善されている。
【００７３】
上記により、発光管が光放出部の境界Ｘより上方に入る比、すなわち、ｈ２／ｈ１×１００が２０〜７７．３％の範囲で、上方光束比及び照度が適正値に調整され、最低配置間隔を２５ｍに確保して費用の高騰化を抑制すると共に、所定の推奨照度が得られ、かつ近隣を不必要に明るくしてしまう問題が解決できることが判明した。
【００７４】
なお、ｈ２／ｈ１×１００が、厳密に２０〜７７．３％の範囲である必要はなく、最小値及び最大値は、（ａ）におけるｈ２が約７ｍｍ、及び（ｃ）におけるｈ２が約３０ｍｍの値が許容され、ｈ２／ｈ１×１００が約１９〜８０％の範囲で実用的に支障のない範囲での上方光束比及び照度を得ることができた。
【００７５】
また、（ｃ）で示す、４５Ｗの蛍光ランプを７７．３％の範囲で境界Ｘより上方に入れて、ランプをほとんど隠す構成は、省エネ等の観点から採用が難しいケースでは、（ａ）から（ｂ）に示される２０〜４５．３％の範囲が、実現可能な好ましい範囲である。
【００７６】
また、上記では、照明器具を上方約１５度の角度に傾斜させて設置した状態で調整を行ったが、水平姿勢の場合も、上記と略同様に調整することができ、最低配置間隔を２５ｍに確保して費用の高騰化を抑制すると共に、所定の推奨照度が得られ、かつ近隣を不必要に明るくしてしまう問題が解決できた。
【００７７】
次に、照明器具を電柱等に設置するための構成につき、図３及び図４に従い説明する。
【００７８】
３０は、照明器具１０を電柱等に設置するためのコ字形をなす取付け具で、鉄やステンレス等の金属で、コ字形底部を平板状の支持部３０ａとし、支持部の両側面に一体に係止部３０ｂを形成したコ字形取付金具として構成する。
【００７９】
両側面の係止部３０ｂは、一端部（図３において下端部）に向けて傾斜させた略台形をなす形状に形成し、台形の頂部となる位置に縦に長溝３０ｃを貫通して形成する。
【００８０】
さらに、係止部３０ｂの中心部に軸孔３０ｄを貫通して形成し、軸孔を通る垂直線上に位置し、かつ軸孔を挟んで２個の支持孔３０ｅ１、３０ｅ２を貫通させて形成する。
【００８１】
さらに、２個の支持孔３０ｅ１、３０ｅ２を通る垂直線上から、約１５度の角度ａを有する線上に位置して、２個の支持孔３０ｆ１、３０ｆ２を貫通して形成する。
【００８２】
これらの長溝３０ｃ、軸孔３０ｄ、２個の支持孔３０ｅ１、３０ｅ２及び２個の支持孔３０ｆ１、３０ｆ２は、両側面の係止部３０ｂに、それぞれ対向した同じ位置に、対をなすように形成する。
【００８３】
器具本体１２の側面には、上述のようにコ字状をなす支持具２１が一体に形成され、支持具の両側面板２１ａの下方に軸孔２１ｂを貫通して形成し、軸孔を通過する垂直線上に位置し、かつ軸孔の上方に位置して１個の支持孔２１ｃを形成し、さらに、支持孔２１ｃを通る垂直線上から、約１５度の角度ａを有する線上に位置して、斜めに傾斜する長溝２１ｄを貫通して形成する。
【００８４】
これらの軸孔２１ｂ、支持孔２１ｃ及び傾斜する長溝２１ｄは、支持具の両側面板２１ａ、２１ａに、それぞれ対向した同じ位置に、対をなすように形成する。
【００８５】
取付け具３０及び支持具２１に形成した各軸孔及び支持孔は、丸孔で形成し、孔の内面には雌ねじが形成されボルトが螺合できるようにする。
【００８６】
また、取付け具３０及び支持具２１に形成した各軸孔、長溝、支持孔は、次のような位置関係にして形成する。
【００８７】
すなわち、図３に実線矢印で示すように、取付け具３０の支持部３０ａが器具本体１２側になるようにして、取付け具３０を支持具２１の両側面板２１ａ、２１ａの間に挿入し、それぞれの軸孔２１ｂと３０ｄを合致させて軸支し、取付け具３０を垂直に位置させると、支持具２１の傾斜する長溝２１ｄと取付け具３０の支持孔３０ｆ１が合致する。
【００８８】
この状態から支持具２１を、上方に１５度の角度ａまで回転すると、支持具２１の傾斜する長溝２１ｄと取付け具３０の支持孔３０ｅ１が合致する。
【００８９】
次に、取付け具３０を、図３の状態から１８０度の角度で回転し、取付け具３０の支持部３０ａが器具本体１２と反対側になるようにする（図４）。
【００９０】
この状態から図４に実線矢印で示すように、取付け具３０を支持具２１の両側板２１ａ、２１ａの間に挿入し、それぞれの軸孔２１ｂと３０ｄを合致させて軸支し、取付け具３０が垂直なるように位置させると、支持具２１の傾斜する長溝２１ｄと取付け具３０の支持孔３０ｆ２が合致する。
【００９１】
この状態から支持具２１を、１５度の角度ａまで上方に回転すると、支持具２１の傾斜する長溝２１ｄと取付け具３０の支持孔３０ｅ２が合致する。
【００９２】
図中３０ｇは、取付け具３０の支持部３０ａに上下に対向して形成された取付孔で、取付け具３０を壁面にタッピンネジや木ネジ等で取付けるための貫通された丸孔である。  
【００９３】
次に、照明器具を電柱等に設置する手順につき図５及び図６に従い説明する。
【００９４】
まず、照明器具を電柱Ｐに水平に設置する手順を説明する。
【００９５】
まず、取付け具３０の長溝３０ｃに電柱用の取付バンド５０を通し、図５（ａ）に示すように、長溝３０ｃが電柱側になるようにして取付け具３０を電柱の周面に当接し、取付バンド５０を電柱の周囲に巻き込み、別途のボルト、ナットを締め付けて、取付け具３０を電柱の所定の高さに固定する。
【００９６】
次に、照明器具１０を持ち上げて、支持具２１の両側面板２１ａ、２１ａの間に取付け具３０を挿入し、それぞれの軸孔２１ｂと３０ｄを合致させてボルト４０により軸支し、取付け具３０を垂直に位置させる。
【００９７】
さらに、支持具２１の傾斜する長溝２１ｄの上端部と取付け具３０の支持孔３０ｆ１が合致するので、この位置でボルト４１を長溝２１ｄから支持孔３０ｆ１にねじ込み固定する。
【００９８】
これにより、照明器具が水平姿勢に保持された状態で電柱Ｐに設置される。
【００９９】
次に、照明器具を電柱に上方に傾けて設置する場合には、図５（ｂ）に示すように、上記同様にして取付け具３０を電柱の所定の高さに固定し、取付け具３０と支持具２１をボルト４０により軸支し、取付け具３０を垂直に位置させた状態から、器具本体１２を上方に１５度の角度ａまで回転する。
【０１００】
これにより、支持具２１の傾斜する長溝２１ｄの上端部と取付け具３０の支持孔３０ｅ１が合致するので、この位置でボルト４１により固定する。
【０１０１】
これにより、照明器具が１５度の角度で上方に傾斜した姿勢に保持された状態で電柱Ｐに設置される。
【０１０２】
次に、照明器具を壁面Ｈに設置する手順につき説明する。
【０１０３】
まず、水平に設置する場合には、図６（ａ）に示すように、取付け具３０を、図５の状態から１８０度の角度で回転し、取付け具３０の支持部３０ａが壁面Ｈ側になるようにして取付け具３０を壁面に当接し、タッピンネジや木ネジ等を用いて２個の取付孔３０ｇに挿通しねじ込んで固定する。
【０１０４】
次に、照明器具１０を持ち上げて、支持具２１の両側面板２１ａ、２１ａの間に取付け具３０を挿入し、それぞれの軸孔２１ｂと３０ｄを合致させてボルト４０により軸支し、取付け具３０を垂直に位置させる。
【０１０５】
さらに、支持具２１の傾斜する長溝２１ｄの上端部と取付け具３０の支持孔３０ｆ２が合致するので、この位置でボルト４１を長溝２１ｄから支持孔３０ｆ２にねじ込み固定する。
【０１０６】
これにより、照明器具が水平姿勢に保持された状態で壁面Ｈに設置される。
【０１０７】
次に、照明器具を壁面に上方に傾けて設置する場合には、図６（ｃ）に示すように、上記同様にして取付け具３０を壁面に固定し、取付け具３０と支持具２１をボルト４０により軸支し、取付け具３０を垂直に位置させた状態から、器具本体１２を上方に１５度の角度ａまで回転する。
【０１０８】
これにより、支持具２１の傾斜する長溝２１ｄの上端部と取付け具３０の支持孔３０ｅ２が合致するので、この位置でボルト４１により固定する。
【０１０９】
これにより、照明器具が１５度の角度で上方に傾斜した姿勢に保持された状態で壁面Ｈに設置される。
【０１１０】
なお、設置場所等の条件により、照明器具を上方に傾斜した姿勢で電柱に設置することが決まっている場合には、取付け具３０を用いずに、支持具２１の１５度の角度で傾斜した長溝２１ｄに直接、電柱用の取付バンド５０を通し、電柱の周囲に巻き込み締め付けて固定する。
【０１１１】
次に、上記のように構成した照明器具を、図７に示すように道路Ｒの歩道側に設置された電柱Ｐに取付けた場合の作用につき説明する。
【０１１２】
まず、図５（ａ）に示すように、取付け具３０により器具本体１１を電柱Ｐの約４．５ｍの高さに取付ける（本例では水平姿勢）。さらに、器具の長手方向が道路Ｒの延伸方向に直交するようにして取付ける。
【０１１３】
この状態で、発光管が上下に配置された蛍光ランプ１１を点灯すると、光が図２で点線矢印で示すように透明なカバー部材１４から下方、すなわち、電柱Ｐの左右に向かい（図７で図面手前と奥側に向かい）均等に放射され、歩道側及び車道側の路面を道路Ｒの延伸方向に沿って照らして推奨照度をもって照明する。
【０１１４】
この際、上方へも光が放射されるが、本実施例の照明器具は、上述のように蛍光ランプ１１の発光管が、器具における光放出部の境界より上方に入るようにして、上方光束比Ｆ１を１５％以下に調整してある。
【０１１５】
このため、上方に光が届き難くなって近隣家屋の窓Ｗ等に光が侵入する恐れが少なくなり、近隣を不必要に明るくしてしまうことがない。
【０１１６】
なお、設置場所等の条件により、下面方向を中心に照明を行うような場合、または、上方光束比をさらに抑制したい場合には、補助反射体１８を外して設置する。
【０１１７】
蛍光ランプ１１や安定器等の交換、点検、修理を行う場合には、バネ部材２０の係止作用を手で解除し、カバー部材１４をヒンジ１９を中心にして開き、器具本体１２の開口部１２ａを開放して行う。
【０１１８】
本実施例において、蛍光ランプ１１は、２本の直管形のガラス管端部を加熱・溶融し、吹き破り等の手段で相互に接合して先端がＨ字状となるような略Ｕ字状になるように構成したが、１本の発光管を折り曲げて略Ｕ字状をなす形状の構成したものでもよい。
【０１１９】
器具本体１２はアルミダイカスト製で構成したが、ポリブチレンテレフタレート等の耐熱性、耐光性で、かつ電気絶縁性を有する不透明な合成樹脂で構成してもよい。
【０１２０】
反射体１３を長尺な平板状なす形状に形成したが、器具本体の内面を鏡面や白色となして反射体の機能を持たせるようにしてもよい。また、光源に対する反射体１３の配置角度を変化できるようにして、配光を調整できるようにしてもよい。
【０１２１】
カバー部材１４は、内面にプリズムを形成した透明なアクリル等の合成樹脂で構成したが、乳白色等の半透明に構成しても、さらに材質はガラスで構成してもよい。またプリズムは形成しなくてもよい。
【０１２２】
補助反射体１８をカバー部材１４の内面に支持するようにしたが、器具本体１２側、例えば、反射体１３に支持するようにしてもよい。
【０１２３】
また、山形をなす補助反射体１８の、山形の傾斜角度を調整できるように構成して、配光を調整するようにしてもよい。
【０１２４】
上記実施例は、屋外用の防犯灯として構成したが、研究施設、図書館や美術館等の廊下に用い、廊下に隣接する部屋や壁面の展示物に不用な光が届かないように、廊下の延伸方向に沿って照明を行う室内用の照明器具として構成してもよい。
【０１２５】
室内用の照明器具として構成する場合には、防水のためのパッキングは省略してもよい。
【０１２６】
本実施例によれば、光源の発光管を上下方向に配置すると共に、発光管の発光部が器具本体とカバー部材とで形成される光放出部の境界より上方に入るようにしたので、光が透明なカバー部材１４から下方、すなわち、電柱Ｐ等の左右に向かって均等に放射され、歩道側及び車道側の路面を道路Ｒの延伸方向に沿って、所定の推奨照度をもって照明することができる。
【０１２７】
同時に、蛍光ランプ１１の発光管が、器具における光放出部の境界より上方に入るようにして、上方光束比を１５％以下に調整してあるため、上方に光が届き難くなって近隣家屋の窓Ｗ等に光が侵入する恐れが少なくなり、近隣を不必要に明るくしてしまうことがない。
【０１２８】
上記により、最低配置間隔を２５ｍに確保して費用の高騰化を抑制すると共に、所定の推奨照度が得られ、かつ近隣を不必要に明るくしてしまう問題を解決することができる。
【０１２９】
特に、発光管が光放出部の境界Ｘより上方に入る比、すなわち、ｈ２／ｈ１×１００が約１９〜８０％、好ましくは２０〜４５．３％の範囲としたので、最低配置間隔を２５ｍに確保して費用の高騰化を抑制すると共に、所定の推奨照度が得られ、かつ近隣を不必要に明るくしてしまう問題を、より一層確実に解決することができる。
【０１３０】
さらに、目的とする上方光束比を１５％以下の適正値にする構成及び手段として、単に蛍光ランプを上下に配置する簡単な構成及び上下に移動して調整する単純な手段で実現することができ、コスト的にも有利な照明器具を提供することができる。
【０１３１】
長尺の断面が山形をなす補助反射体１８を、上下方向に配置された蛍光ランプ１１の下方に位置する発光管１１ａ２の下面に、山形の頂部が対向するように設けたので、目的とする上方光束比を１５％以下の適正値に保持しながら、歩道側及び車道側の路面を道路Ｒの延伸方向に沿っても確実に照明することが可能となる。
【０１３２】
また、補助反射体１８は、照明器具を設置する周囲の状態、環境条件等によって、例えば、より上方光束比を抑制したい場合等に外したり、路面延伸方向への配光がより必要な場合に、適宜取付けて使用したり、さらには山形の傾斜角度を調整できるように構成して、配光を調整したりすることも可能となる。
【０１３３】
また、照明器具を電柱等に取付けるための取付け具３０は、単に１８０度の角度回転させるだけで、電柱用の取付け具にも壁面用の取付け具にもなるので、１個の取付け具で電柱用及び壁面用として用途を兼用することができ、一種類の取付け具を用意すればよく、価格の低減及び在庫管理に寄与することができると共に、取付工事の際、現場での各種の設置条件に即対応することが可能となり施工が容易となるなど、実用的な作用効果を奏する。
【０１３４】
取付け具３０は、１個の取付け具で電柱用及び壁面用として用途が兼用することができる上に、それぞれの用途において、単に取付ける孔を選択することにより、水平姿勢及び上方に傾斜した姿勢で設置することができ、一種類の取付け具で電柱用及び壁面用、さらには水平姿勢用及び上方に傾斜した姿勢用と、４種類の設置条件に対応することができ、より一層の価格の低減及び在庫管理への寄与、さらに施工が容易となるなど、さらに実用的な作用効果を奏することができる。
【０１３５】
防犯灯などの道路への設置に際しては、必要な路面照度を得るためや、近隣への光害を防止するために、現地で取付け場所（面）や取付角度を調整する必要がある。
【０１３６】
従来は、個々の設置条件に合う金具をその度に手配したり、角度を調整するための別途の金具を追加手配する必要があり、現地での調達が困難で工期が長くなる問題もあった。
【０１３７】
本実施例の取付け具３０は、多様な機能を兼ね備えており、現地での各種の設置条件に合わせて、別途の金具等を調達することなく、１個の取付け具３０で対応することができ容易に作業を行うことができると共に、工期が長くなることもない。
【０１３８】
また、照明器具の電柱等へ設置作業に際し、先に取付け具３０を電柱等に取付け、電柱等に取付けられた取付け具３０に照明器具を取付けるようにすることができ、重い照明器具を持ち上げた状態で、電柱用の取付バンド５０を取付け具３０の長溝３０ｃに通すなどの細かい作業をせずに、重い照明器具を持ち上げた状態ではボルト４０，４１の２本を固定する単純な作業で済み、高所における作業を一層容易にすることができる。
【０１３９】
以上、本発明の好適な実施形態を説明したが、本発明は上述の実施例に限定されることなく、本発明の要旨を逸脱しない範囲内において、種々の設計変更を行うことができる。
【図面の簡単な説明】
【０１４０】
【図１】本発明の実施形態における照明器具の縦断面図。
【図２】同じく照明器具の図１Ａ−Ａ線に沿う断面図。
【図３】同じく照明器具の取付け具を示し、電柱用の取付け具として照明器具に取付けた状態を示す斜視図。
【図４】同じく照明器具の取付け具を示し、壁面用の取付け具として照明器具に取付けた状態を示す斜視図。
【図５】同じく照明器具の電柱への設置状態を示す図で、（ａ）は水平状態に設置した状態を一部切り欠いて示す側面図、（ｂ）は上方に傾斜させて設置した状態を一部切り欠いて示す側面図。
【図６】同じく照明器具の壁面への設置状態を示す図で、（ａ）は水平状態に設置した状態を一部切り欠いて示す側面図、（ｂ）は取付け具の背面図、（ｃ）は上方に傾斜させて設置した状態を一部切り欠いて示す側面図。
【図７】同じく照明器具を道路の歩道側に設置された電柱に取付けた状態を示す説明図。
【図８】同じく照明器具における上方光束比及び照度を適正値に調整するための構成及び調整の結果を示す説明図。
【符号の説明】
【０１４１】
１０  照明器具
１１  光源
１１ａ１  上方に位置する発光管
１１ａ２  下方に位置する発光管
１２  器具本体
１３  反射体
１４  カバー部材
Ｘ  光放出部の境界
【図１】
2007087798.tif 000004
【図２】
2007087798.tif 000005
【図３】
2007087798.tif 000006
【図４】
2007087798.tif 000007
【図５】
2007087798.tif 000008
【図６】
2007087798.tif 000009
【図７】
2007087798.tif 000010
【図８】
2007087798.tif 000011